(57)【要約】本発明は、特に便器又は洗面台の衛生用品(2)を固定するための固定システム(1)に関し、この固定システムは、現場で固定して配置された固定手段に接続され得る少なくとも１つの固定受入領域(4)を備えた支持要素(3)と、支持要素(3)上にあり、衛生用品(2)の上側止め具(6)に当接する少なくとも１つの上側停止部(5)と、支持要素(3)上にあり、衛生用品(2)の下側止め具(8)に当接する少なくとも１つの下側停止部(7)と、少なくとも１つのクランプ要素(9)とを含む。組み立てられた位置において、上側停止部(5)は下側停止部(7)の上方にあり、そして、停止部(5、7)の少なくとも１つは、支持要素(3)に対して移動可能なように支持要素(3)に取り付けられ、少なくとも１つのクランプ要素(9)に接続されており、クランプ要素(9)を作動させることにより、前記停止部(5、7)を作動方向(B)に移動することができ、２つの停止部(5、7)を衛生用品(2)の２つの止め具(6、8)の間に締め付けることができる。【選択図】図１
2021513017.tif 000002
【特許請求の範囲】
【請求項１】
衛生用品（２）、特に便器又は洗面器の固定のための固定システム（１）であって、
現場で固定して配置された固定手段に接続され得る少なくとも１つの固定レセプタクル（４）を備えたキャリア要素（３）と、
前記キャリア要素（３）上にあり、前記衛生用品（２）の上側止め具（６）に当接する少なくとも１つの上側停止部（５）と、
前記キャリア要素（３）上にあり、前記衛生用品（２）の下側止め具（８）に当接する少なくとも１つの下側停止部（７）と、
少なくとも１つのクランプ要素（９）を含み、
設置位置において、前記上側停止部（５）は下側停止部（７）の上方にあり、
前記停止部（５、７）の少なくとも１つは、前記キャリア要素（３）に対して変位可能であるように前記キャリア要素（３）に取り付けられ、なおかつ、前記クランプ要素（９）を作動させることにより、作動方向（Ｂ）に前記停止部（５、７）が変位され、前記衛生用品（２）の前記２つの止め具（６、８）の間で前記２つの停止部（５、７）が固定されるように、前記少なくとも１つのクランプ要素（９）に接続される、固定システム（１）。
【請求項２】
前記作動方向（Ｂ）が、設置位置において垂直線（Ｖ）の方向に伸びていることを特徴とする、請求項１に記載の固定システム（１）。
【請求項３】
前記少なくとも１つの上側停止部（５）及び前記少なくとも１つの下側停止部（７）が、それぞれ停止受け具（１０）を有し、前記停止受け具内に前記衛生用品（２）の前記止め具（６、８）が突出することを特徴とする、請求項１又は２に記載の固定システム（１）。
【請求項４】
前記２つの停止部（５、７）が前記２つの止め具（６、８）の間に固定される際に、前記停止受け具（１０）と前記衛生用品（２）との間に形状嵌合がもたらされるように前記停止受け具（１０）が構成され、及び／又は、前記２つの停止受け具が前記作動方向（Ｂ）に対して横方向に見るとダブテール形状であることを特徴とする、請求項３に記載の固定システム（１）。
【請求項５】
前記少なくとも１つの上側停止部（５）及び前記少なくとも１つの下側停止部（７）がそれぞれ垂直に対してある角度で傾斜した停止面（１１）を有し、
前記角度をつけて傾斜した停止面（１１）が好ましくは前記停止受け具（１０）の一部であること、並びに／又は、前記少なくとも１つの上側停止部（５）及び前記少なくとも１つの下側停止部（７）がそれぞれ垂直に立つ軸受面（２０）を有し、
垂直に立つ前記軸受面（２０）が好ましくは前記停止受け具（１０）の一部であることを特徴とする、請求項１〜４のいずれか一項、特に請求項３又は４に記載の固定システム（１）。
【請求項６】
前記停止部（５、７）の少なくとも１つが、位置を固定して前記キャリア要素に配置されるか、又は前記キャリア要素に対して移動できないように前記キャリア要素に配置され、
前記位置を固定された停止部（５、７）が、好ましくは前記上側停止部である、請求項１〜５のいずれか一項に記載の固定システム（１）。
【請求項７】
位置を固定して配置された停止部（５）及び変位可能に配置された停止部（７）が、それぞれ停止対を形成し、
好ましくは相互に間隔をあけて配置された２つの停止対が、前記キャリア要素（３）上に配置されることを特徴とする、請求項６に記載の固定システム（１）。
【請求項８】
前記上側停止部（５）が、前記キャリア要素（３）に接続され得る上側停止要素（１２）を備え、及び／又は、前記下側停止部（７）が、前記キャリア要素（３）に接続され得る下側停止要素（１３）を備えることを特徴とする、請求項１〜７のいずれか一項に記載の固定システム（１）。
【請求項９】
前記上側停止要素（１２）が機械的接続によって前記キャリア要素（３）に固定して接続されており、
前記機械的接続が好ましくはラッチ接続又はスナップフィット接続であること、又は、前記下側停止要素（５）が機械的接続によって前記キャリア要素（３）に固定して接続されており、
前記機械的接続が好ましくはラッチ接続又はスナップフィット接続であることを特徴とする、請求項８に記載の固定システム（１）。
【請求項１０】
前記停止要素（１３）が、前記変位可能な停止部（５、７）を提供し、クランプ要素（９）のための受け具（１４）を有し、
前記クランプ要素（９）が作動すると、前記停止要素が前記キャリア要素（３）に対して前記停止部とともに、特に全体として、変位し得ることを特徴とする、請求項８〜９のいずれか一項に記載の固定システム（１）。
【請求項１１】
前記停止要素（１３）が、前記キャリア要素（３）の棒状の延長部（１５）に取り付けられ、前記延長部が作動方向（Ｂ）を向いており、
前記クランプ要素（９）が、好ましくは前記延長部（１５）に配置された端面（１６）に作用することを特徴とする、請求項１０に記載の固定システム（１）。
【請求項１２】
前記キャリア要素（３）が、クロスメンバー部（１７）と、前記クロスメンバー部（１７）から突出する少なくとも１つの支持部（１８）とを含み、
上側及び下側停止部（５、６）がそれぞれ存在し、
前記支持部（１８）及び／又は前記クロスメンバー部（１７）が機能要素を受け入れるための受入構造（１９）を有することを特徴とする、請求項１〜１１のいずれか一項に記載の固定システム（１）。
【請求項１３】
上側止め具（６）及び下側止め具（７）を有する衛生用品（２）、及び請求項１〜１２のいずれか一項に記載の固定システム（１）を含む装置。
【請求項１４】
前記固定システム（１）が、前記衛生用品の受入空間に配置されること、及び／又は、前記衛生用品がアクセス口を有し、前記アクセス口を通して、ツールを使用し又はツールを使用せずに前記クランプ要素にアクセス可能であること、及び／又は、前記止め具が、その形状に関して、前記停止部と相補的嵌合を有するように構成されることを特徴とする、請求項１３に記載の装置。
【発明の詳細な説明】
【技術分野】
【０００１】
本発明は、請求項１のプリアンブルに記載の衛生用品を固定するための固定システムに関する。
【背景技術】
【０００２】
特許文献１は、便器を固定するための固定器具を開示している。固定器具は、便器の側壁に配置された開口部にピンで係合する。特許文献１の欠点は、側壁による固定器具の支持と、それに伴う取り付けられた便器から固定器具への力の導入である。
【先行技術文献】
【特許文献】
【０００３】
【特許文献１】独国特許出願公開第１０２０１１０５２５５８号
【発明の概要】
【０００４】
前記従来技術から出発して、本発明が基づく目的は、従来技術の欠点を克服する、便器又は洗面台などの衛生用品のための固定システムを明示することである。特に、その狙いは、衛生用品から固定システムへの改善された力の導入を可能にする固定器具を明示することである。
【０００５】
前記目的は請求項１の主題によって達成される。したがって、衛生用品の固定のための固定システムは、現場で固定して配置された固定手段に接続され得る少なくとも１つの固定レセプタクルを備えたキャリア要素と、キャリア要素上にあり、衛生用品の上側止め具に当接する少なくとも１つの上側停止部と、キャリア要素上にあり、衛生用品の下側止め具に当接する少なくとも１つの下側停止部と、少なくとも１つのクランプ要素とを含む。設置位置において、上側停止部は下側停止部の上方にある。停止部の少なくとも１つは、キャリア要素に対して変位可能であるようにキャリア要素に取り付けられており、さらに、少なくとも１つのクランプ要素に接続され、クランプ要素を作動させることにより、２つの停止部が衛生用品の２つの止め具の間で固定されるように、前記停止部が作動方向に変位し得る。
【０００６】
２つの停止部を空間的に上下に配置することにより、衛生用品の正味重量のために、又はその使用の結果として発生する重力の作用力が、キャリア要素に十分に導入され、したがって現場に固定して配置された固定手段に十分に導入されるという利点が得られる。
【０００７】
「上方に」という用語は、設置位置において、上側停止部は下側停止部よりも重力の方向に関して上方にあるというように理解される。言い換えれば、２つの停止部は、垂直方向に見ると、相互に間隔をあけて上下に配置される。同様に、「下方に」という用語は、設置位置において、下側停止部は重力の方向に関して上側停止部の下方にあるというように理解されるべきである。
【０００８】
停止部がキャリア要素上にあるという表現は、停止部がキャリア要素自体によって提供されるか、又は、固定して又は移動可能にキャリア要素に接続され得るさらなる要素によって停止部が提供されるというように理解されるべきである。そのようなさらなる要素は、例えば、以下に説明される停止要素であり得る。
【０００９】
好ましくは、上側停止部及び下側停止部は、垂直方向の軸に関して上下にある。
【００１０】
好ましくは、作動方向は、垂直方向、又は設置位置における重力の方向に伸びている。
【００１１】
好ましくは、少なくとも１つの上側停止部及び少なくとも１つの下側停止部は、それぞれ停止受け具を有し、その中に衛生用品の止め具が突出する。
【００１２】
特に好ましくは、上側停止部の停止受け具は、重量の力が前記受け具を通してキャリア要素に導入され得るように構成される。上側停止部の停止受け具は、好ましくは衛生用品を停止受け具に掛着することができるように構成される。
【００１３】
特に好ましくは、停止受け具は、２つの停止部が２つの止め具の間で固定される際に、停止受け具と衛生用品との間に形状嵌合が提供されるように構成される。
【００１４】
特に好ましくは、２つの停止受け具は、作動方向に対して横方向に見て、ダブテール形状である。好ましくは、衛生用品の止め具もダブテール形状である。このようにして、良好な形状嵌合を実現することができ、同時に良好な力の導入が可能になる。
【００１５】
好ましくは、少なくとも１つの上側停止部と少なくとも１つの下側停止部は、それぞれ、角度をつけて傾斜した停止面を有し、角度をつけて傾斜した停止面は、好ましくは停止受け具の一部である。この場合、停止面は、特に垂直線に対してある角度で傾斜するように構成される。
【００１６】
好ましくは、少なくとも１つの上側停止部と少なくとも１つの下側停止部は、それぞれ、垂直方向に立つ軸受面を有し、垂直方向に立つ軸受面は、好ましくは停止受け具の一部である。
【００１７】
特に好ましくは、角度をつけて傾斜した停止面は、軸受面に直接隣接する。一種のＶ字型の受け具がこのようにして造り出される。衛生用品も同様に座面に接触することができ、特に上側停止部は水平方向に作用する力成分を吸収することが可能である。
【００１８】
好ましくは、少なくとも１つの停止部は、キャリア要素上に位置を固定して配置される。つまり、前記少なくとも１つの停止部は、キャリア要素に対して変位できない。
【００１９】
特に好ましくは、位置を固定して配置された少なくとも１つの停止部と変位可能に配置された少なくとも１つの停止部がそれぞれ配置され、前記２つの停止部は停止対を形成する。好ましくは、２つの停止対が配置され、停止対は、垂直線を横切る方向又は作動方向を横切る方向に互いに間隔をあけて配置される。
【００２０】
好ましくは、上側停止部は、キャリア要素に接続され得る上側停止要素によって提供され、及び／又は、下側停止部は、キャリア要素に接続され得る下側停止要素によって提供される。
【００２１】
好ましくは、上側停止要素は、機械的接続によってキャリア要素に固定して接続されており、該機械的接続は好ましくはラッチ接続又はスナップフィット接続である。好ましくは、下側停止要素は、機械的接続によってキャリア要素に固定して接続されており、該機械的接続は、好ましくはラッチ接続又はスナップフィット接続である。
【００２２】
停止要素は、好ましくはプラスチック又はゴムから製造される。このことは、特に衛生用品がセラミックで製造される場合に、衛生用品の良好な接触が達成されるという利点を有する。
【００２３】
好ましくは、停止要素は変位可能な停止部を提供し、クランプ要素の受け具を有し、クランプ要素が作動する際、停止要素は停止部とともに、特に全体として、キャリア要素に対して変位することができる。
【００２４】
好ましくは、前記停止要素は、キャリア要素の棒状の延長部に取り付けられ、前記延長部は、作動方向を向いており、クランプ要素は、好ましくは延長部に配置された端面に作用する。クランプ要素を作動させることにより、停止要素はキャリア要素に対して変位することができる。
【００２５】
特に好ましくは、作動要素は、前記停止要素のねじ山に回転可能に取り付けられる調整ねじである。
【００２６】
好ましくは、キャリア要素は、クロスメンバー部と、クロスメンバー部から突出する少なくとも１つの支持部とを含み、上側停止部と下側停止部はそれぞれ支持部上にあり、支持部及び／又はクロスメンバー部は少なくとも１つの機能要素を受けるための受入構造を有する。
【００２７】
機能要素は、例えば真水又は廃水管などの水管を通すための軸受構造であり得るか、あるいは、追加の要素、例えば便ふた、取付部品又は便座などを固定するためのねじ要素であり得る。軸受構造は、受入構造に移動可能に取り付けることができる。
【００２８】
装置は、上側止め具と下側止め具を有する衛生用品と、上記の固定システムとを含み、上側停止部は上側止め具に接触させることができ、下側停止部は下側止め具に接触させることができ、２つの停止部は２つの止め具の間で固定することができる。
【００２９】
装置のさらに好ましい実施形態は、
−固定システムが、衛生用品の受入空間に配置されること、及び／又は
−衛生用品がアクセス口を有し、それによってツールを使用して又はツールを使用せずにクランプ要素にアクセス可能であること、及び／又は
−止め具が、その形状を、停止部と相補的嵌合を有するように構成されること
を特徴とする。
【００３０】
さらなる実施形態を、従属請求項に示す。
【図面の簡単な説明】
【００３１】
本発明の好ましい実施形態は、図面を参照して以下に説明される。図面は単に説明のためのものであり、限定として解釈されるべきではない。
【００３２】
【図１】本発明の一実施形態による固定システムの斜視断面図を示す。
【図２】図１に記載の固定システムの断面図を示す。図２ｂは図２ａの詳細図を示す。
【図３】図１に記載の固定システムの斜視図を示す。
【図４】図１に記載の固定システムの分解斜視図を示す。
【図５】図１に記載の固定システムの上部領域の詳細図を示す。
【図６】図１に記載の固定システムの上部領域のさらなる詳細図を示す。
【図７】図１に記載の固定システムの下部領域の詳細図を示す。
【図８】図１に記載の固定システムの下部領域のさらなる詳細図を示す。
【発明を実施するための形態】
【００３３】
図１は、衛生用品２を備える固定システム１の斜視図を示す。ここで、衛生用品２は便器の形状を有する。しかし、衛生用品２は、洗面器、シンク、小便器又はビデであってもよい。衛生用品２は、好ましくはセラミック製である。しかし、別の材料で作製されていてもよい。
【００３４】
固定システム１は、現場で固定して配置された固定手段に接続され得る少なくとも１つの固定レセプタクル４を備えたキャリア要素３と、キャリア要素３上にあり、衛生用品２の上側止め具６に当接する少なくとも１つの上側停止部５と、キャリア要素３上にあり、衛生用品２の下側止め具８に当接する少なくとも１つの下側停止部７と、少なくとも１つのクランプ要素９と、を含む。図１に示すように、設置位置又は垂直線Ｖに見られるように、上側停止部５は下側停止部７の上方にある。つまり、停止部５、７は、ほぼ垂直方向に相互に間隔をあけて配置される。
【００３５】
停止部５、７の少なくとも１つは、キャリア要素３に対して変位可能であるようにキャリア要素３上に取り付けられる。示された実施形態では、それは下側停止部７である。上側停止部５は、キャリア要素３に対して固定して配置される。
【００３６】
変位可能な停止部７は、クランプ要素９を作動させることにより、衛生用品２の２つの止め具６、８の間で２つの停止部５、７が固定できるように、前記停止部７が作動方向Ｂに変位され得るような方法で、少なくとも１つのクランプ要素９に接続される。前記の固定する能力によって、キャリア要素３は衛生用品２に固定して組み立てられる。キャリア要素３がその固定レセプタクル４を介して、現場に配置された固定手段に接続されることにより、衛生用品を建物に固定して接続することができる。現場に配置された固定手段は図には示していないが、例えば壁から突出するねじ付き棒であり得る。
【００３７】
示された実施形態では、それぞれの上側停止部５と下側停止部７とが停止対を形成する。図３から明らかなように、二対の上側停止部５と停止部７は、相互に間隔をあけて配置される。前記二対の停止部５、７は、この場合、対応する停止対６、８に当接することができる。図１に示すように、クランプ要素９は、下からアクセスできる。この場合、クランプ要素９は、それに応じて作動することができる。
【００３８】
作動方向Ｂは、設置位置において垂直線Ｖの方向に伸びている。つまり、キャリア要素３上で変位可能に配置される停止部５、７は、設置位置において垂直線Ｖの方向に変位することができる。
【００３９】
図２ａ及び２ｂは、垂直線Ｖの方向の断面図を示す。図２ｂの詳細な図から、上側停止部５及び下側停止部７がそれぞれ停止受け具１０を有し、それの中に衛生用品２の止め具６、８が突出することが容易に認識できる。停止受け具１０は、この場合、固定された状態で、停止部５、７と止め具６、８との間の形状嵌合がもたらされるように構成される。
【００４０】
断面図に見られるように、それぞれの停止部５、７の２つの停止受け具１０は、一種のダブテール構造を形成し、衛生用品２の止め具６、８と、向い合い嵌合（gegengleich ausgebildet）するように構成される。前記のダブテール様構造により、停止部５、７と止め具６、８との間に良好な機械的接続をもたらすことが可能である。
【００４１】
一般的に言うと、停止受け具１０は、２つの停止部５、７が２つの止め具６、８の間で固定される際に、停止受け具１０と衛生用品２の止め具６、８との間に形状嵌合がもたらされるように構成される。形状嵌合により、特に良好な接続を実現することが可能になる。
【００４２】
示された実施形態では、上側停止部５と下側停止部７の両方が、垂直線Ｖに対してある角度で傾斜した停止面１１をそれぞれ有する。同様に、衛生用品２の止め具６、７は、ある角度で傾斜するように構成される。垂直線に対する角度は、停止面１１と止め具６、８でほぼ同じになるように構成される。さらに、角度をつけて傾斜して配置される停止面１１は、垂直線Ｖの方向に立つ軸受面２０に前方で隣接する。軸受面２０は、この場合、停止受け具１０のさらなる境界面として使用される。衛生用品２は、対応して構成された軸受面２１で対応する軸受面２０に当接することができる。
【００４３】
示された実施形態では、上側停止部５は、位置を固定してキャリア要素３上に配置される。つまり、停止部５は、キャリア要素３に対して移動できないように、キャリア要素３上に置かれるか又は配置される。さらに、下側停止部７は変位可能に配置される。つまり、示された実施形態では、位置を固定して配置された停止部５と変位可能に配置された停止部７が、それぞれ停止対を形成する。
【００４４】
図３は、停止部５、７を備えるキャリア要素の透視図による配置を示す。図４は同様の図を示すが、図４は分解図である。
【００４５】
図４から、上側停止部は、上側停止要素１２によって提供され、下側停止部７は、下側停止要素１３によって提供されることが容易に認識できる。２つの停止要素１２、１３は、この場合、キャリア要素とは別に構成され、キャリア要素３に接続することができる。上側停止要素１２は、キャリア要素３に固定して接続されるが、下側停止要素１３は、上述のように、停止部７がキャリア要素３に対して変位され得るように、キャリア要素３に接続される。上側停止要素１２は、機械的接続によってキャリア要素３に固定して接続される。好ましくは、機械的接続は、ラッチ接続又はスナップフィット接続である。
【００４６】
下側停止要素１３は、変位可能な停止部７を提供し、クランプ要素９用の受け具１４を有する。クランプ要素９が作動すると、停止要素１３は、キャリア要素３に対して停止部７とともに全体として変位する。示された実施形態では、停止要素３は、作動方向Ｂに向けられたキャリア要素３の棒状の延長部１５に取り付けられている。クランプ要素９は、延長部１５に配置される端面１６に作用し、クランプ要素９が作動すると、停止要素１３はキャリア要素３の延長部１５上で変位する。示された実施形態では、クランプ要素９は、停止要素１３のねじ山に回転可能に取り付けられる調整ねじである。回転中に、調整ねじの先端側は変位する。調整ねじは、図２ｂで容易に認識することができる。
【００４７】
図５及び６は、上側停止要素１２の具体的な実施形態をさらに示す。ここで、停止要素１２の下側に受け具２２があり、そこにキャリア要素３の一部が延在することは容易に認識できる。さらに、ここで複数のウェブによって提供される停止面１１は、図６で容易に認識することができる。
【００４８】
さらに、キャリア要素３がクロスメンバー部１７を有し、クロスメンバー部１７が、ここに受入構造１９を備えることを図６において認識することができる。受入構造１９では、例えば取付部品又は便ふたなどの外部要素を固定するために、ねじ山が設けられた固定要素２３が示されている。
【００４９】
次に、図７及び８は、下側停止要素１３の詳細図を示す。下側停止要素１３は、前述のように、延長部１５を支える。この目的のため、下側停止要素１３は、延長部１５が突出可能な導入口２４を有する。延長部１５は、この場合、キャリア要素３の一部であり、ここにクロスメンバー部１７から突出する支持部１８の端部を形成する。示された実施形態では、相互に間隔をあけて位置する２つの支持部１８は、クロスメンバー部１７から突出している。
【００５０】
支持部１８は、同様に、さらなる要素のための受入構造１９を有することができる。示された実施形態では、支持部１８はさらなる要素を受け入れるために使用されるスロット状の受入構造１９を有する。前記受入構造１９によって、キャリア要素３は、例えば、現場で位置を固定して配置される固定手段に接続することができる。受入構造１９は、例えば、固定レセプタクル４を提供することができる。受入構造１９は、例えば２つの支持部１８の間を通って導かれるライン２５を取り付けるために使用することもできる。
【００５１】
示された実施形態では、支持部１８は、設置位置に見られるように、作動運動Ｂの方向に、したがって垂直線Ｖの方向に延在する。
【００５２】
クロスメンバー部１７及び支持部１８も、好ましくは金属形材から製造される。示された実施形態では、停止要素１２、１３は、いずれの場合も支持部に取り付けられる。
【符号の説明】
【００５３】
１      固定システム
２      衛生用品
３      キャリア要素
４      固定レセプタクル
５      上側停止部
６      上側止め具
７      下側停止部
８      下側止め具
９      クランプ要素
１０    停止受け具
１１    停止面
１２    上側停止要素
１３    下側停止要素
１４    受け具
１５    延長部
１６    端面
１７    クロスメンバー部
１８    支持部
１９    受入構造
２０    軸受面
２１    軸受面
２２    受け具
２３    固定要素
２４    導入口
２５    ライン
Ｂ      作動方向
Ｖ      垂直線
【図１】
2021513017.tif 000003
【図２ａ】
2021513017.tif 000004
【図２ｂ】
2021513017.tif 000005
【図３】
2021513017.tif 000006
【図４】
2021513017.tif 000007
【図５】
2021513017.tif 000008
【図６】
2021513017.tif 000009
【図７】
2021513017.tif 000010
【図８】
2021513017.tif 000011
【国際調査報告】
2021513017.tif 000012
2021513017.tif 000013
2021513017.tif 000014
2021513017.tif 000015